Podtech/llm-jp-corpus-v4-ja_patent huggingface dataset:
【手続補正書】
【提出日】令和3年2月12日(2021.2.12)
【手続補正１】
【補正対象書類名】特許請求の範囲
【補正対象項目名】全文
【補正方法】変更
【補正の内容】
【特許請求の範囲】
【請求項１】
ガスインジェクションサイクルに切替可能なヒートポンプサイクル（１０）に適用される統合弁であって、
圧縮機（１１）から吐出された冷媒が流入する冷媒流入口（１４１ａ）、前記冷媒流入口から流入した冷媒の気液を分離する気液分離空間（１４１ｂ）、前記気液分離空間で分離された液相冷媒を流出させる液流出口（１４１ｅ）、前記気液分離空間で分離された気相冷媒を流出させるガス流出口（１４２ａ）が形成されたボデー（１４０）と、
前記ボデーの内側に収容され、前記気液分離空間から前記液流出口に至る液冷媒通路（１４１ｄ）を開閉する液側弁体（１８１）と、
前記ボデーの内側に収容され、前記気液分離空間から前記ガス流出口に至るガス冷媒通路（１４２ｂ）を開閉する開閉部材（１６）と、
前記液側弁体を駆動する駆動部材（２８）と、を備え、
前記ボデーには、前記液側弁体を開弁側または閉弁側に押圧するための冷媒が導入される圧力制御室（２８０ｂ）が形成されており、
前記駆動部材は、前記圧力制御室における冷媒の圧力を調整するための弁部品（Ｙ１）を含んでおり、
前記弁部品は、
前記圧力制御室に導入する冷媒が流通する流体室（Ｙ１９）が形成される基部（Ｙ１１、Ｙ１２、Ｙ１３）と、
自らの温度が変化すると変位する駆動部（Ｙ１２３、Ｙ１２４、Ｙ１２５）と、
前記駆動部の温度の変化による変位を増幅する増幅部（Ｙ１２６、Ｙ１２７）と、
前記増幅部によって増幅された変位が伝達されて動くことで、前記流体室を流れる冷媒の圧力を調整する可動部（Ｙ１２８）と、を有し、
前記駆動部が温度の変化によって変位したときに、前記駆動部が付勢位置（ＹＰ２）において前記増幅部を付勢することで、前記増幅部がヒンジ（ＹＰ０）を支点として変位するとともに、前記増幅部と前記可動部の接続位置（ＹＰ３）で前記増幅部が前記可動部を付勢し、
前記ヒンジから前記付勢位置までの距離よりも、前記ヒンジから前記接続位置までの距離の方が長くなっており、
さらに、前記基部には、前記流体室と前記圧力制御室とを連通させる第１流体孔（Ｙ１６）、前記流体室と前記冷媒流入口とを連通させる第２流体孔（Ｙ１７）、前記流体室と前記液流出口とを連通させる第３流体孔（Ｙ１７）が形成されており、
前記弁部品は、前記可動部によって前記第２流体孔および前記第３流体孔を開閉するだけでなく、前記可動部によって前記第２流体孔および前記第３流体孔のうち少なくとも一方の流体孔の開度を調整することで前記圧力制御室の圧力を変化させる構成になっている、統合弁。
【請求項２】
前記弁部品の取付対象となる被取付対象物（１４１）に対して前記弁部品を取り付けるための部品取付部（Ｘ３、Ｙ３）を備え、
前記部品取付部は、前記弁部品と前記被取付対象物とが直接接しないように前記被取付対象物と前記弁部品との間に介在されている、請求項１に記載の統合弁。
【請求項３】
前記部品取付部は、前記部品取付部の線膨張係数が、前記弁部品の線膨張係数と前記被取付対象物の線膨張係数との間に値となるように構成されている、請求項２に記載の統合弁。
【請求項４】
前記弁部品は、当該弁部品が正常に作動しているか故障しているかを判別するための信号を出力する故障検知部（Ｘ５０、Ｙ５０）を備えている、請求項１ないし３のいずれか１つに記載の統合弁。
【請求項５】
前記信号は、前記増幅部の歪み量に応じた信号である請求項４に記載の統合弁。
【請求項６】
前記駆動部は、通電されることで発熱し、
前記故障検知部は、前記弁部品が故障している場合に前記弁部品に対する通電を停止する装置（Ｘ５５、Ｙ５５）に、前記信号を出力する、請求項４または５に記載の統合弁。
【請求項７】
前記故障検知部は、前記弁部品が故障している場合に、人に報知を行う報知装置（Ｘ５６、Ｙ５６）を作動させる装置（Ｘ５５、Ｙ５５）に、前記信号を出力する、請求項４または５に記載の統合弁。
【請求項８】
前記弁部品は、半導体チップによって構成されている、請求項１ないし７のいずれか１つに記載の統合弁。
【手続補正２】
【補正対象書類名】明細書
【補正対象項目名】０００８
【補正方法】削除
【補正の内容】
【手続補正３】
【補正対象書類名】明細書
【補正対象項目名】０００９
【補正方法】削除
【補正の内容】
【手続補正４】
【補正対象書類名】明細書
【補正対象項目名】００１０
【補正方法】変更
【補正の内容】
【００１０】
請求項１に記載の発明は、
ガスインジェクションサイクルに切替可能なヒートポンプサイクル（１０）に適用される統合弁であって、
圧縮機（１１）から吐出された冷媒が流入する冷媒流入口（１４１ａ）、冷媒流入口から流入した冷媒の気液を分離する気液分離空間（１４１ｂ）、気液分離空間で分離された液相冷媒を流出させる液流出口（１４１ｅ）、気液分離空間で分離された気相冷媒を流出させるガス流出口（１４２ａ）が形成されたボデー（１４０）と、
ボデーの内側に収容され、気液分離空間から液流出口に至る液冷媒通路（１４１ｄ）を開閉する液側弁体（１８１）と、
ボデーの内側に収容され、気液分離空間からガス流出口に至るガス冷媒通路（１４２ｂ）を開閉する開閉部材（１６）と、
液側弁体を駆動する駆動部材（２８）と、を備え、
ボデーには、液側弁体を開弁側または閉弁側に押圧するための冷媒が導入される圧力制御室（２８０ｂ）が形成されており、
駆動部材は、圧力制御室における冷媒の圧力を調整するための弁部品（Ｙ１）を含んでおり、
弁部品は、
圧力制御室に導入する冷媒が流通する流体室（Ｙ１９）が形成される基部（Ｙ１１、Ｙ１２、Ｙ１３）と、
自らの温度が変化すると変位する駆動部（Ｙ１２３、Ｙ１２４、Ｙ１２５）と、
駆動部の温度の変化による変位を増幅する増幅部（Ｙ１２６、Ｙ１２７）と、
増幅部によって増幅された変位が伝達されて動くことで、流体室を流れる冷媒の圧力を調整する可動部（Ｙ１２８）と、を有し、
駆動部が温度の変化によって変位したときに、駆動部が付勢位置（ＹＰ２）において増幅部を付勢することで、増幅部がヒンジ（ＹＰ０）を支点として変位するとともに、増幅部と可動部の接続位置（ＹＰ３）で増幅部が可動部を付勢し、
ヒンジから付勢位置までの距離よりも、ヒンジから接続位置までの距離の方が長くなっており、
さらに、基部には、流体室と圧力制御室とを連通させる第１流体孔（Ｙ１６）、流体室と冷媒流入口とを連通させる第２流体孔（Ｙ１７）、流体室と液流出口とを連通させる第３流体孔（Ｙ１７）が形成されており、
弁部品は、可動部によって第２流体孔および第３流体孔を開閉するだけでなく、可動部によって第２流体孔および第３流体孔のうち少なくとも一方の流体孔の開度を調整することで圧力制御室の圧力を変化させる構成になっている。
【手続補正書】
【提出日】令和3年2月26日(2021.2.26)
【手続補正１】
【補正対象書類名】特許請求の範囲
【補正対象項目名】全文
【補正方法】変更
【補正の内容】
【特許請求の範囲】
【請求項１】
冷凍サイクル装置の圧縮機へオイルを戻すオイル戻し装置であって、
オイルを貯える貯油室（１０１ａ、２０５）から前記圧縮機の摺動部に向かってオイルが流れるオイル流路（１１０、１１２、１１３、１１５、ＸＶ１、ＸＶ２、２３４ｃ、２３４ｄ、２４１、２４２、２４３）を形成する流路形成部（１０３ａ、１０５ａ、１１１、２３４ａ、２３４ｂ、２４０、Ｘ２）と、
前記流路形成部に設けられ、前記圧縮機の回転数に基づいて、前記オイル流路を流れるオイルの流量を調整する弁部品（Ｘ１）とを備え、
前記弁部品は、
オイルが流通するオイル室（Ｘ１９）、前記オイル室に連通する第１オイル孔（Ｘ１６）、および前記オイル室に連通する第２オイル孔（Ｘ１７）が形成される基部（Ｘ１１、Ｘ１２１、Ｘ１３）と、
自らの温度が変化すると変位する駆動部（Ｘ１２３、Ｘ１２４、Ｘ１２５）と、
前記駆動部の温度の変化による変位を増幅する増幅部（Ｘ１２６、Ｘ１２７）と、
前記増幅部によって増幅された変位が伝達されて前記オイル室内で動くことで、前記オイル室を介した前記第１オイル孔と前記第２オイル孔との間の連通、遮断を切り替える可動部（Ｘ１２８）と、を有し、
前記駆動部が温度の変化によって変位したときに、前記駆動部が付勢位置（ＸＰ２）において前記増幅部を付勢することで、前記増幅部がヒンジ（ＸＰ０）を支点として変位するとともに、前記増幅部と前記可動部の接続位置（ＸＰ３）で前記増幅部が前記可動部を付勢し、
前記ヒンジから前記付勢位置までの距離よりも、前記ヒンジから前記接続位置までの距離の方が長い、オイル戻し装置。
【請求項２】
前記オイル流路は、流路断面積が固定された第１流路（１１５）と、前記第１流路を迂回させてオイルを流す第２流路（ＸＶ２、ＸＶ１）とを含み、
前記弁部品は、前記第２流路の途中に接続されており、前記圧縮機の回転数に基づいて、前記可動部によって前記第１オイル孔と前記第２オイル孔との間の連通、遮断を切り替えて、前記第２流路を開閉することで、前記オイル流路を流れるオイルの流量を調整する、請求項１に記載のオイル戻し装置。
【請求項３】
前記弁部品は、前記可動部によって前記第１オイル孔と前記第２オイル孔との間の連通、遮断を切り替えるだけでなく、前記圧縮機の回転数に基づいて、前記可動部によって前記第１オイル孔および前記第２オイル孔の少なくとも一方のオイル孔の開度を調整することで、前記オイル流路を流れるオイルの流量を調整する、請求項１に記載のオイル戻し装置。
【請求項４】
前記オイル戻し装置は、前記冷凍サイクル装置の蒸発器と前記圧縮機の冷媒吸引側との間に設置され、前記圧縮機に吸引される冷媒を液相冷媒と気相冷媒とに分離するアキュムレータ（１２）に適用される、請求項１ないし３のいずれか１つに記載のオイル戻し装置。
【請求項５】
前記オイル戻し装置は、前記圧縮機から吐出される冷媒に含まれるオイルを分離し、分離したオイルを前記圧縮機に戻すオイルセパレータ（１５）に適用される、請求項１ないし３のいずれか１つに記載のオイル戻し装置。
【請求項６】
前記弁部品は、当該弁部品が正常に作動しているか故障しているかを判別するための信号を出力する故障検知部（Ｘ５０）を備えている、請求項１ないし５のいずれか１つに記載のオイル戻し装置。
【請求項７】
前記信号は、前記増幅部の歪み量に応じた信号である請求項６に記載のオイル戻し装置。
【請求項８】
前記駆動部は、通電されることで発熱し、
前記故障検知部は、前記弁部品が故障している場合に前記弁部品に対する通電を停止する装置（Ｘ５５）に、前記信号を出力する、請求項６または７に記載のオイル戻し装置。
【請求項９】
前記故障検知部は、前記弁部品が故障している場合に、人に報知を行う報知装置（Ｘ５６）を作動させる装置（Ｘ５５）に、前記信号を出力する、請求項６または７に記載のオイル戻し装置。
【請求項１０】
前記弁部品は、半導体チップによって構成されている請求項１ないし９のいずれか１つに記載のオイル戻し装置。
【手続補正２】
【補正対象書類名】明細書
【補正対象項目名】０００７
【補正方法】変更
【補正の内容】
【０００７】
上記目的を達成するため、請求項１に記載の発明によれば、冷凍サイクル装置の圧縮機へオイルを戻すオイル戻し装置は、
オイルを貯える貯油室（１０１ａ、２０５）から圧縮機の摺動部に向かってオイルが流れるオイル流路（１１０、１１２、１１３、１１５、ＸＶ１、ＸＶ２、２３４ｃ、２３４ｄ、２４１、２４２、２４３）を形成する流路形成部（１０３ａ、１０５ａ、１１１、２３４ａ、２３４ｂ、２４０、Ｘ２）と、
流路形成部に設けられ、前記圧縮機の回転数に基づいて、オイル流路を流れるオイルの流量を調整する弁部品（Ｘ１）とを備える。
【手続補正書】
【提出日】令和3年11月1日(2021.11.1)
【手続補正１】
【補正対象書類名】特許請求の範囲
【補正対象項目名】全文
【補正方法】変更
【補正の内容】
【特許請求の範囲】
【請求項１】
方法であって、
サーバにおいて、ユーザクライアントにおいて実行しているゲーム環境内のプレーヤによるアクションを特徴付けるユーザアクションデータを受信することであって、前記ゲーム環境は、前記サーバと別個の前記ユーザクライアントによって作成され、前記ユーザクライアントは、前記ゲーム環境内の第１の視聴位置から前記ゲーム環境をレンダリングしている、ことと、
前記サーバにおいて、前記ゲーム環境内の第２の視聴位置を含む選択された視聴位置を特徴付けるデータを受信することであって、前記第２の視聴位置は、前記第１の視聴位置と異なり、前記選択された視聴位置は、前記ゲーム環境内の視聴場所を特徴付ける、ことと、
前記ユーザアクションデータから、再作成されたゲーム環境を前記サーバにおいて生成することと、
前記サーバが、前記再作成されたゲーム環境のビデオストリームを生成することであって、前記ビデオストリームは、前記選択された視聴位置の視点からのビデオを含む、ことと、
前記サーバが、前記ユーザアクションデータに関連付けられた少なくとも１つのメトリックの計算に基づいて、前記ビデオストリームの１つまたは複数のハイライトセグメントを識別することと、
前記サーバが、前記ビデオストリームの前記１つまたは複数の識別されたハイライトセグメントを、提案されるビデオストリームに組み立てることと、
前記サーバが、前記提案されるビデオストリームをコメンテータクライアントに提供することと、
前記サーバが、前記コメンテータクライアントからのオーディオストリームを前記提案されるビデオストリームと組み合わせることにより、ブロードキャストビデオストリームを生成することと、
前記サーバが、前記ブロードキャストビデオストリームを視聴クライアントに伝送することであって、前記組み合わせることは、前記ブロードキャストビデオストリームの前記伝送の前に行われる、ことと
を含む、方法。
【請求項２】
前記ユーザアクションデータは、前記ゲーム環境を用いる前記プレーヤによるユーザインターフェースアクションを特徴付けるデータを含む、請求項１に記載の方法。
【請求項３】
前記再作成されたゲーム環境を生成することは、ゲーム状態データおよびユーザアクティビティデータを使用して、ゲームエンジンを実行することを含む、請求項１に記載の方法。
【請求項４】
前記サーバは、前記選択された視聴位置および前記ユーザアクションデータを受信し、前記選択された視聴位置の視点から前記再作成されたゲーム環境をレンダリングするゲームエンジンを含む、請求項３に記載の方法。
【請求項５】
ユーザアクティビティデータは、データベースから読み出され、前記ユーザアクティビティデータは、履歴ゲームプレーと関連付けられる、請求項１に記載の方法。
【請求項６】
ユーザアクティビティデータは、前記ユーザクライアントまたはゲームホストサーバから受信され、前記ユーザアクティビティデータは、進行中の実行ゲーム環境からのものである、請求項１に記載の方法。
【請求項７】
ユーザアクションデータを使用して、前記プレーヤに関する統計を生成することと、
統計を前記視聴クライアントに伝送することと
をさらに含む、請求項１に記載の方法。
【請求項８】
前記少なくとも１つのメトリックは、前記ユーザアクションデータと関連付けられる前記プレーヤの決定された技術レベルを含む、請求項１に記載の方法。
【請求項９】
前記提案されるビデオストリームは、前記視聴クライアントに伝送されることなしに、前記コメンテータクライアントに提供される、請求項１に記載の方法。
【請求項１０】
システムであって、
少なくとも１つのデータプロセッサと、
命令を記憶するメモリであって、前記命令は、前記少なくとも１つのデータプロセッサによって実行されると、前記少なくとも１つのデータプロセッサに、請求項１〜９のいずれかに記載の方法を実施させる、メモリと
を備える、システム。
【請求項１１】
命令を記憶する非一過性機械可読媒体であって、前記命令は、少なくとも１つのコンピューティングシステムの少なくとも１つのデータプロセッサによって実行されると、請求項１〜９のいずれかに記載の方法を実施する、非一過性機械可読媒体。
【手続補正書】
【提出日】令和3年11月4日(2021.11.4)
【手続補正１】
【補正対象書類名】特許請求の範囲
【補正対象項目名】全文
【補正方法】変更
【補正の内容】
【特許請求の範囲】
【請求項１】
遊技球が転動する遊技領域を形成する遊技盤と、
前記遊技盤が装着される枠体と、
前記枠体の前面側に設けられ、前記枠体に対して開閉可能な扉枠と、
所定の発射装置によって前記遊技領域に発射された遊技球を前記遊技盤外において回収し、該回収した遊技球を再び前記発射装置に誘導して遊技に使用する循環機構と、を具備する遊技機において、
前記枠体には、前記循環機構とは別途設けられた排出球受箱と、前記循環機構から遊技球を前記排出球受箱に導く排出経路を備え、
前記排出球受箱は、前記扉枠を開閉可能にするヒンジ側を避けた位置に配置されると共に、前記枠体に対して前記扉枠が開放状態にある場合に当該遊技機の前方から着脱可能とされるものである
ことを特徴とする遊技機。
【手続補正２】
【補正対象書類名】明細書
【補正対象項目名】０００１
【補正方法】変更
【補正の内容】
【０００１】
本発明は、所定数の遊技球を循環して使用する遊技機に関する。
【手続補正３】
【補正対象書類名】明細書
【補正対象項目名】０００７
【補正方法】変更
【補正の内容】
【０００７】
ところで、上記のような循環経路を備えた遊技機では、遊技機外に遊技球を持つ必要がないため、遊技場の負担は大幅に少なくなる。
【手続補正４】
【補正対象書類名】明細書
【補正対象項目名】０００８
【補正方法】変更
【補正の内容】
【０００８】
しかし、まだ遊技場の負担を減らすことについて改良の余地がある。本発明は、循環経路を備えた遊技機において、遊技場の負担を減らすことを課題とする。
【手続補正５】
【補正対象書類名】明細書
【補正対象項目名】０００９
【補正方法】削除
【補正の内容】
【手続補正６】
【補正対象書類名】明細書
【補正対象項目名】００１０
【補正方法】削除
【補正の内容】
【手続補正７】
【補正対象書類名】明細書
【補正対象項目名】００１１
【補正方法】削除
【補正の内容】
【手続補正８】
【補正対象書類名】明細書
【補正対象項目名】００１２
【補正方法】削除
【補正の内容】
【手続補正９】
【補正対象書類名】明細書
【補正対象項目名】００１３
【補正方法】変更
【補正の内容】
【００１３】
本発明は、
遊技球が転動する遊技領域を形成する遊技盤と、
前記遊技盤が装着される枠体と、
前記枠体の前面側に設けられ、前記枠体に対して開閉可能な扉枠と、
所定の発射装置によって前記遊技領域に発射された遊技球を前記遊技盤外において回収し、該回収した遊技球を再び前記発射装置に誘導して遊技に使用する循環機構と、を具備する遊技機において、
前記枠体には、前記循環機構とは別途設けられた排出球受箱と、前記循環機構から遊技球を前記排出球受箱に導く排出経路を備え、
前記排出球受箱は、前記扉枠を開閉可能にするヒンジ側を避けた位置に配置されると共に、前記枠体に対して前記扉枠が開放状態にある場合に当該遊技機の前方から着脱可能とされるものである
ことを特徴とする遊技機。
である。なお、本発明と異なる発明を参考的に開示する。
上記本発明と異なる課題を解決する手段として手段１〜手段４がある。
本発明と異なる発明は、
封入球式遊技機は、
外枠と、
遊技領域が区画形成された遊技盤と、
前記遊技盤が嵌め込まれて収容され、前記外枠に開閉自在に軸支される本体枠と、
遊技球を前記遊技領域に向けて発射するための打球発射装置と、
前記打球発射装置によって発射された遊技球を前記遊技盤の裏面側に封入球として回収して再び前記打球発射装置に供給するための循環経路と、
前記循環経路の一部であって、遊技に使用する遊技球を遊技球同士の間隔を開けて下方から前記本体枠の上部に揚送する球揚送装置と、
を備え、
所定数量の遊技球を閉鎖的に循環させて遊技を行うようにした封入球式遊技機において、
前記打球発射装置は、前記本体枠の前部かつ上部の一側部に配置され、
前記球揚送装置は、前記打球発射装置の後方において、前記遊技盤及び各種部材の収容可能な収容空間を形成して前記本体枠の後面に取り付けられ、
前記球揚送装置の上端部は前記打球発射装置よりも上方に配置され、前記球揚送装置の上端部と前記打球発射装置の上部との間に、前記球揚送装置で揚送された遊技球を上方から略直線的に前記打球発射装置へ送り込むための前後方向に亘る球供給経路部材が設けられた、
ことを特徴とする［手段１］。
【手続補正１０】
【補正対象書類名】明細書
【補正対象項目名】００２４
【補正方法】変更
【補正の内容】
【００２４】
請求項１の構成によれば、遊技場の負担を減らすことが出来る。
【手続補正書】
【提出日】令和3年11月12日(2021.11.12)
【手続補正１】
【補正対象書類名】特許請求の範囲
【補正対象項目名】全文
【補正方法】変更
【補正の内容】
【特許請求の範囲】
【請求項１】
各々が識別可能な複数種類の識別情報を変動表示可能な可変表示部を備え、
前記可変表示部の変動表示を停止することで表示結果を導出し、該表示結果に応じて入賞が発生可能な遊技機において、
遊技の制御を行う遊技制御手段と、
前記遊技制御手段から送信された制御情報に基づいて演出を行う演出制御手段と、
遊技者が表示結果を導出させるために操作する導出操作手段と、
前記導出操作手段の操作態様を識別可能に報知することが可能な操作態様報知手段と、
前記導出操作手段への操作を検出する検出手段と、
を備え、
前記遊技制御手段は、
表示結果が導出される前に、導出が許容される表示結果を決定する事前決定手段と、
前記事前決定手段の決定結果が報知の対象となる報知対象結果となったときに遊技者にとって有利な有利操作態様が報知される報知状態に制御する報知状態制御手段と、
前記事前決定手段の決定結果に関する特定制御情報を前記演出制御手段に対して送信する特定制御情報送信手段と、
一定間隔毎に定期処理を実行する定期処理実行手段と、
定期処理において前記検出手段の検出状況を取得する検出状況取得処理を実行する検出状況取得処理実行手段と、
複数回の検出状況取得処理により取得した検出状況により前記導出操作手段の操作の有無を特定可能な検出データを作成する検出データ作成手段と、
を含み、
前記特定制御情報送信手段は、前記報知状態に制御されているか否かに関わらず、前記事前決定手段の決定結果が前記報知対象結果となったときに、前記報知対象結果となった旨は特定できるが前記有利操作態様を特定できない前記特定制御情報を前記演出制御手段に対して送信し、
電力供給の開始後、最初に定期処理が実行されるまでに検出状況取得処理を少なくとも１回実行する、遊技機。
【手続補正２】
【補正対象書類名】明細書
【補正対象項目名】０００２
【補正方法】変更
【補正の内容】
【０００２】
この種の遊技機においては、複数種類のスイッチ類を備え、各スイッチ類の検出状況を
判定するタイミング毎に、入力ポートに入力される各スイッチ類の検出信号の状態を複数のタイミング分用いて各スイッチ類の検出状況を特定することで、ノイズなどの影響を排除するようにしたものが提案されている（例えば、特許文献１参照）。
【手続補正３】
【補正対象書類名】明細書
【補正対象項目名】０００４
【補正方法】変更
【補正の内容】
【０００４】
特許文献１においては、スロットマシンへの電力供給が停止される電断が生じた後、電力供給が再開されて電断から復帰した際に、各種スイッチ類の信号の入力状況を特定する複数回の割込処理が、電断の前後に跨ることとなった場合に、電断前の信号の入力状況と電断から復帰した後の信号の入力状況との相違によって意図しない入力状況が特定されることで誤作動する虞がある。
【手続補正４】
【補正対象書類名】明細書
【補正対象項目名】０００５
【補正方法】変更
【補正の内容】
【０００５】
本発明は、このような問題点に着目してなされたものであり、意図しない検出状態が特定されてしまうことを防止できる遊技機を提供することを目的とする。
【手続補正５】
【補正対象書類名】明細書
【補正対象項目名】０００６
【補正方法】変更
【補正の内容】
【０００６】
（Ａ）  各々が識別可能な複数種類の識別情報を変動表示可能な可変表示部を備え、
前記可変表示部の変動表示を停止することで表示結果を導出し、該表示結果に応じて入賞が発生可能な遊技機において、
遊技の制御を行う遊技制御手段と、
前記遊技制御手段から送信された制御情報に基づいて演出を行う演出制御手段と、
遊技者が表示結果を導出させるために操作する導出操作手段と、
前記導出操作手段の操作態様を識別可能に報知することが可能な操作態様報知手段と、
前記導出操作手段への操作を検出する検出手段と、
を備え、
前記遊技制御手段は、
表示結果が導出される前に、導出が許容される表示結果を決定する事前決定手段と、
前記事前決定手段の決定結果が報知の対象となる報知対象結果となったときに遊技者にとって有利な有利操作態様が報知される報知状態に制御する報知状態制御手段と、
前記事前決定手段の決定結果に関する特定制御情報を前記演出制御手段に対して送信する特定制御情報送信手段と、
一定間隔毎に定期処理を実行する定期処理実行手段と、
定期処理において前記検出手段の検出状況を取得する検出状況取得処理を実行する検出状況取得処理実行手段と、
複数回の検出状況取得処理により取得した検出状況により前記導出操作手段の操作の有無を特定可能な検出データを作成する検出データ作成手段と、
を含み、
前記特定制御情報送信手段は、前記報知状態に制御されているか否かに関わらず、前記事前決定手段の決定結果が前記報知対象結果となったときに、前記報知対象結果となった旨は特定できるが前記有利操作態様を特定できない前記特定制御情報を前記演出制御手段に対して送信し、
電力供給の開始後、最初に定期処理が実行されるまでに検出状況取得処理を少なくとも１回実行する。
手段１の遊技機は、
遊技を行う遊技機（スロットマシン１）において、
第１の検出手段（確定データが用いられるスイッチ類）と、
第２の検出手段（エッジデータが用いられるスイッチ類）と
前記第１の検出手段の検出状況を第１の検出情報（確定データを含むデータ）を用いて判定する第１の判定手段と、
前記第２の検出手段の検出状況を第２の検出情報（エッジデータを含むデータ）を用いて判定する第２の判定手段と、
前記第１の検出情報（確定データを含むデータ）及び前記第２の検出情報（エッジデータを含むデータ）が格納される格納手段（ポート入力バッファ０〜２）と、
を備え、
前記格納手段には、前記第１の検出情報が前記第１の判定手段の判定に用いられる態様（確定データ、ｏｆｆエッジデータ）で格納され、前記第２の検出情報が前記第２の判定手段の判定に用いられる態様（第１の検出情報の態様が確定データに対してエッジデータ第１の検出情報の態様がｏｆｆエッジデータに対してｏｎエッジデータ）、で格納される、
ことを特徴としている。
この特徴によれば、第１の判定手段と第２の判定手段では、異なる態様の第１の検出情報と第２の検出情報が用いられるとともに、格納手段では、第１の検出情報については、第１の判定手段において判定に用いられる態様で格納され、第２の検出情報については、第２の判定手段において判定に用いられる態様で格納されることにより、第１の検出情報及び第２の検出情報について、各検出手段の種類にかかわらず一律に同じ態様で格納されることがなく、検出状況の判定に用いられることがない態様で格納されないため、格納手段に格納される検出情報の容量を削減することができる。
【手続補正書】
【提出日】令和3年10月4日(2021.10.4)
【手続補正１】
【補正対象書類名】特許請求の範囲
【補正対象項目名】全文
【補正方法】変更
【補正の内容】
【特許請求の範囲】
【請求項１】
靴に設けられたセンサからユーザの足部に関する計測データを取得するデータ取得部と、
複数のユーザの前記計測データを解析して、立脚歩行時に取得された前記計測データに基づく歩行処理後データを含む評価データを生成する解析部と、
前記複数のユーザの前記評価データと、分析対象となるユーザの前記評価データとを比較して、前記分析対象となるユーザの足部の状態を分析した第１の分析結果を少なくとも含む分析結果を得る分析部と、
を有する、評価システム。
【請求項２】
前記解析部は、前記計測データを解析して、足が地面に接地した状態の立脚期と地面から離床した状態の遊脚期とを検知し、前記立脚期における歩行動作に関連するデータである前記歩行処理後データを取得する、請求項１に記載の評価システム。
【請求項３】
前記第１の分析結果は、前記複数のユーザの前記評価データをクラスタリング処理して複数のグループに分類し、前記分析対象となるユーザが属しているグループの相対的な位置を示す分析結果を含む、請求項１又は２に記載の評価システム。
【請求項４】
前記解析部は、複数のユーザの前記計測データを解析して、立位姿勢が一定時間維持された際に取得された前記計測データに基づく静止立位処理後データをさらに含む前記評価データを生成する、請求項１又は２に記載の評価システム。
【請求項５】
前記第１の分析結果は、前記分析対象となるユーザの足部の異常を予測する分析結果を含む、請求項１乃至４のいずれか一項に記載の評価システム。
【請求項６】
前記分析部は、前記分析対象となるユーザの現在の足部状態に類似している足部状態を持ち、かつ行動量が近い他のユーザが、類似時点より後の時点でどのような足部状態に遷移したかを特定することにより、前記分析対象となるユーザの足部の異常を予測する、請求項５に記載の評価システム。
【請求項７】
前記第１の分析結果は、前記分析対象となるユーザに推奨される靴及び若しくは補助装具の候補を提案する分析結果を含む、請求項１乃至５のいずれか一項に記載の評価システム。
【請求項８】
前記分析部は、前記分析対象となるユーザに対して、前記足部の状態が類似する他のユーザであって、その後に障害が発生していない他のユーザが履いていた靴及び若しくは補助装具を提案する、請求項７に記載の評価システム。
【請求項９】
前記分析結果は、更に前記分析対象となるユーザのみの前記評価データに基づく第２の分析結果を含み、前記分析部は前記分析対象となるユーザに対して第１又は第２の分析結果を選択的に提供する、請求項１乃至８のいずれか一項に記載の評価システム。
【請求項１０】
前記歩行処理後データは、前記計測データから立脚期及び遊脚期を含む歩行イベントを自動検知し、一歩行毎の波形データを切り出すことによって取得される、請求項１乃至９のいずれか一項に記載の評価システム。
【請求項１１】
足部に装着されたセンサから分析対象であるユーザの足部に関する計測データを受信し、前記計測データをサーバ装置に送信し、前記サーバ装置は、複数のユーザの前記計測データを解析して、立脚歩行時に取得された前記計測データに基づく歩行処理後データを含む評価データを生成すると共に、前記複数のユーザの前記評価データと前記分析対象となるユーザの前記評価データとの比較に基づく第１の分析結果及び前記分析対象となるユーザのみの前記評価データに基づく第２の分析結果を記憶し、前記サーバ装置から前記分析対象であるユーザの足部の状態を分析した分析結果を受信すると共に前記分析結果を表示する端末装置であって、
前記サーバ装置に対して前記分析対象であるユーザが第１の分析結果の要求を送信したとき、前記サーバ装置から第１の分析結果を受信し選択的に第１の分析結果を表示することを特徴とする端末装置。
【請求項１２】
靴に設けられたセンサからユーザの足部に関する計測データを取得する処理と、
複数のユーザの前記計測データを解析して、立脚歩行時に取得された前記計測データに基づく歩行処理後データを含む評価データを生成する処理と、
前記複数のユーザの前記評価データと、分析対象となるユーザの前記評価データとを比較して、前記分析対象となるユーザの足部の状態を分析した分析結果を提供する処理と、
をコンピュータが実行する、評価方法。
【請求項１３】
靴に設けられたセンサからユーザの足部に関する計測データを取得する処理と、
複数のユーザの前記計測データを解析して、立脚歩行時に取得された前記計測データに基づく歩行処理後データを含む評価データを生成する処理と、
前記複数のユーザの前記評価データと、分析対象となるユーザの前記評価データとを比較して、前記分析対象となるユーザの足部の状態を分析した分析結果を提供する処理と、
をコンピュータに実行させる、プログラム。
【手続補正２】
【補正対象書類名】明細書
【補正対象項目名】発明の名称
【補正方法】変更
【補正の内容】
【発明の名称】評価システム、端末装置、評価方法、及びプログラム
【手続補正３】
【補正対象書類名】明細書
【補正対象項目名】０００１
【補正方法】変更
【補正の内容】
【０００１】
本発明は、評価システム、端末装置、評価方法、及びプログラムに関する。
【手続補正４】
【補正対象書類名】明細書
【補正対象項目名】０００８
【補正方法】変更
【補正の内容】
【０００８】
上記の課題を解決するため、本発明にあっては、評価システムは、靴に設けられたセンサからユーザの足部に関する計測データを取得するデータ取得部と、複数のユーザの前記計測データを解析して、立脚歩行時に取得された前記計測データに基づく歩行処理後データを含む評価データを生成する解析部と、前記複数のユーザの前記評価データと、分析対象となるユーザの前記評価データとを比較して、前記分析対象となるユーザの足部の状態を分析した第１の分析結果を少なくとも含む分析結果を得る分析部と、を有する。
【手続補正書】
【提出日】令和3年9月24日(2021.9.24)
【手続補正１】
【補正対象書類名】特許請求の範囲
【補正対象項目名】全文
【補正方法】変更
【補正の内容】
【特許請求の範囲】
【請求項１】
遊技者が操作可能な操作手段と、
前記操作手段を含む演出手段を用いて、所定の演出を実行可能な演出実行手段と、を備え、
前記操作手段には、第１の操作手段と、前記第１の操作手段とは異なる第２の操作手段と、が含まれ、
前記演出実行手段は、
所定の操作有効期間内において、前記第１の操作手段および前記第２の操作手段の何れの操作が行われても特定結果が導出されることがある挑戦演出を実行可能であり、
前記操作有効期間内では、第１の期間と前記第１の期間とは異なる第２の期間とが、それぞれ繰り返し発生するようになっており、
前記操作有効期間内における前記第１の期間で前記第１の操作手段の操作が行われた場合よりも、前記操作有効期間内における前記第２の期間で前記第１の操作手段の操作が行われた場合の方が、前記特定結果が導出され易く、
前記操作有効期間内における前記第２の期間で前記第１の操作手段の操作が行われた場合よりも、前記操作有効期間内における前記第２の期間で前記第２の操作手段の操作が行われた場合の方が、前記特定結果が導出され易く、
前記第２の期間は、前記第１の期間よりも短い、
ことを特徴とする遊技機。
【請求項２】
請求項１に記載の遊技機であって、
前記操作有効期間内における前記第２の期間で前記第１の操作手段の操作が行われた場合よりも、前記操作有効期間内における前記第１の期間で前記第２の操作手段の操作が行われた場合の方が、前記特定結果が導出され易い、
ことを特徴とする遊技機。
【手続補正２】
【補正対象書類名】明細書
【補正対象項目名】０００７
【補正方法】変更
【補正の内容】
【０００７】
本明細書に開示される遊技機は、遊技者が操作可能な操作手段と、前記操作手段を含む演出手段を用いて、所定の演出を実行可能な演出実行手段と、を備え、前記操作手段には、第１の操作手段と、前記第１の操作手段とは異なる第２の操作手段と、が含まれ、前記演出実行手段は、所定の操作有効期間内において、前記第１の操作手段および前記第２の操作手段の何れの操作が行われても特定結果が導出されることがある挑戦演出を実行可能であり、前記操作有効期間内では、第１の期間と前記第１の期間とは異なる第２の期間とが、それぞれ繰り返し発生するようになっており、前記操作有効期間内における前記第１の期間で前記第１の操作手段の操作が行われた場合よりも、前記操作有効期間内における前記第２の期間で前記第１の操作手段の操作が行われた場合の方が、前記特定結果が導出され易く、前記操作有効期間内における前記第２の期間で前記第１の操作手段の操作が行われた場合よりも、前記操作有効期間内における前記第２の期間で前記第２の操作手段の操作が行われた場合の方が、前記特定結果が導出され易く、前記第２の期間は、前記第１の期間よりも短い、ことを特徴としている。
【手続補正書】
【提出日】令和3年9月24日(2021.9.24)
【手続補正１】
【補正対象書類名】特許請求の範囲
【補正対象項目名】全文
【補正方法】変更
【補正の内容】
【特許請求の範囲】
【請求項１】
所定の演出を実行可能な演出実行手段と、
大当たり遊技状態、非特定遊技状態および特定遊技状態の何れかにすることが可能であるとともに、前記非特定遊技状態および前記特定遊技状態の何れかから前記大当たり遊技状態にすることが可能な遊技状態制御手段と、を備え、
前記特定遊技状態には、第１の特定遊技状態と、前記第１の特定遊技状態よりも遊技者に有利な第２の特定遊技状態と、があり、
前記演出実行手段は、
前記非特定遊技状態および前記特定遊技状態の何れにおいても、特定結果を目指す挑戦演出を実行可能であり、
前記遊技状態制御手段は、
前記挑戦演出において特定結果が導出された場合に前記大当たり遊技状態にしてから前記第２の特定遊技状態にすることがあり、
前記挑戦演出には、第１挑戦演出が含まれ、
前記非特定遊技状態における前記第１挑戦演出において特定結果が導出された場合よりも、前記特定遊技状態における前記第１挑戦演出において特定結果が導出された場合の方が、前記大当たり遊技状態になってから前記第２の特定遊技状態になり易い、
ことを特徴とする遊技機。
【請求項２】
請求項１に記載の遊技機であって、
前記挑戦演出には、前記第１挑戦演出とは異なる第２挑戦演出が含まれ、
前記特定遊技状態における前記第２挑戦演出において特定結果が導出された場合は、前記大当たり遊技状態になってから必ず前記第２の特定遊技状態になる、
ことを特徴とする遊技機。
【手続補正２】
【補正対象書類名】明細書
【補正対象項目名】０００７
【補正方法】変更
【補正の内容】
【０００７】
本明細書に開示される遊技機は、所定の演出を実行可能な演出実行手段と、大当たり遊技状態、非特定遊技状態および特定遊技状態の何れかにすることが可能であるとともに、前記非特定遊技状態および前記特定遊技状態の何れかから前記大当たり遊技状態にすることが可能な遊技状態制御手段と、を備え、前記特定遊技状態には、第１の特定遊技状態と、前記第１の特定遊技状態よりも遊技者に有利な第２の特定遊技状態と、があり、前記演出実行手段は、特定結果を目指す挑戦演出を実行可能であり、前記遊技状態制御手段は、前記挑戦演出において特定結果が導出された場合に前記大当たり遊技状態にしてから前記第２の特定遊技状態にすることがあり、前記挑戦演出には、第１挑戦演出が含まれ、前記非特定遊技状態における前記第１挑戦演出において特定結果が導出された場合よりも、前記特定遊技状態における前記第１挑戦演出において特定結果が導出された場合の方が、前記大当たり遊技状態になってから前記第２の特定遊技状態になり易い、ことを特徴としている。
【手続補正書】
【提出日】令和3年9月17日(2021.9.17)
【手続補正１】
【補正対象書類名】特許請求の範囲
【補正対象項目名】全文
【補正方法】変更
【補正の内容】
【特許請求の範囲】
【請求項１】
対象の体内の栄養動脈に微粒子を放出するように構成されたバルーンを含む送達装置と、
第一期間にわたって第一薬剤を放出するとともに、第二期間にわたって第二薬剤を放出するように構成された微粒子と、を含み、
前記第一期間と前記第二期間との間に、薬剤放出が実質的に行われない遅延期間が生じ、
前記第一薬剤および前記第二薬剤は同一であっても異なっていてもよい送達システム。
【請求項２】
前記第一薬剤および前記第二薬剤は抗がん剤である、請求項１に記載の送達システム。
【請求項３】
前記第一薬剤および前記第二薬剤は同一である、請求項１に記載の送達システム。
【請求項４】
前記第一薬剤および前記第二薬剤は異なる、請求項１に記載の送達システム。
【請求項５】
前記遅延期間は２〜６週間の範囲である、請求項１に記載の送達システム。
【請求項６】
前記第一期間は５日以下の期間であり、前記第二期間は５日以下の期間である、請求項４に記載の送達システム。
【請求項７】
前記微粒子は、
前記第二薬剤を含む生分解性コアと、
前記生分解性コアを取り囲む、薬剤を実質的に含まない第一生分解性層と、
前記第一生分解性層を取り囲む、前記第一薬剤を含む第二生分解性層と、を含む、請求項１に記載の送達システム。
【請求項８】
前記微粒子は、
前記第一薬剤を含むが前記第二薬剤を含まず、前記第一期間にわたって前記第一薬剤を放出する第一微粒子と、
前記第二薬剤を含むが前記第一薬剤を含まず、前記第二期間にわたって前記第二薬剤を放出する第二微粒子と、を含む、請求項１に記載の送達システム。
【請求項９】
前記微粒子は、生分解性ポリマーを含む、請求項１に記載の送達システム。
【請求項１０】
前記生分解性ポリマーは、ポリエステルホモポリマーおよびコポリマーから選択される、請求項９に記載の送達システム。
【請求項１１】
前記生分解性ポリマーは、ポリグリコリド、ポリ（β−ヒドロキシブチレート）、ポリ（ε−カプロラクトン）、ポリ（ラクチド−コ−グリコリド）、およびポリ（β−ヒドロキシブチレート−コ−β−ヒドロキシバレレート）から選択される、請求項９に記載の送達システム。
【請求項１２】
前記バルーンは、腫瘍の栄養動脈内で膨張されるとともに、栄養動脈に前記微粒子を送達するように適合される、請求項１に記載の送達システム。
【請求項１３】
栄養動脈は、肝動脈である、請求項１２に記載の送達システム。
【請求項１４】
前記バルーンは、ポリエーテルブロックアミド、ポリエチレンテレフタレート、ナイロン、およびポリウレタンから選択された材料を含む、請求項１に記載の送達システム。
【請求項１５】
前記バルーンは折り込みを含み、前記微粒子は、折り込み内に配置されている、請求項１に記載の送達システム。
【請求項１６】
前記バルーンは、二つ、三つ、四つ、五つ、六つ、七つ、または八つの折り込みを有する、請求項１５に記載の送達システム。
【請求項１７】
前記微粒子は、前記折り込みを形成する前に前記バルーンの表面上にプリントされる、請求項１５に記載の送達システム。
【請求項１８】
前記微粒子は、前記折り込みを形成した後に前記折り込み内に注入される、請求項１５に記載の送達システム。
【請求項１９】
前記微粒子は、インクジェットプリントプロセス、三次元プリントプロセス、およびロールコーティングプロセスから選択されるプロセスによって、前記バルーンの表面上にプリントされる、請求項１５に記載の送達システム。
【手続補正書】
【提出日】令和3年10月4日(2021.10.4)
【手続補正１】
【補正対象書類名】特許請求の範囲
【補正対象項目名】全文
【補正方法】変更
【補正の内容】
【特許請求の範囲】
【請求項１】
方法であって、
トーナメントサーバが、非同期性オンラインビデオゲームのトーナメントに登録される第１のクライアントおよび第２のクライアントを特徴付けるデータを受信することであって、前記データは、前記トーナメントをホストするトーナメントサーバによって受信され、前記トーナメントサーバは、前記第１のクライアントおよび前記第２のクライアントにゲームデータを提供するゲームサーバとは別個である、ことと、
前記トーナメントサーバが、命令を前記第１のクライアントおよび前記第２のクライアントに伝送することであって、前記命令は、前記第１のクライアントにおいて実行している第１のゲームインスタンスと前記第２のクライアントにおいて実行している第２のゲームインスタンスとを含む前記非同期性オンラインビデオゲームの同期開始をもたらし、前記第１のゲームインスタンスおよび前記第２のゲームインスタンスは、異なるゲーム状態を有し、前記ゲームサーバを使用して実行し、前記ゲームサーバ、前記第１のゲームインスタンス、および前記第２のゲームインスタンスは、ゲームプレーを同時に開始させるための機構を欠いている、ことと、
メディア管理サーバにおいて前記トーナメントサーバから第１のビデオストリームおよび第２のビデオストリームを受信することであって、前記第１のビデオストリームおよび前記第２のビデオストリームは、前記命令の伝送に応答して同期化され、前記第１のビデオストリームは、前記第１のゲームインスタンスのゲームプレーの捕捉されたビデオを含み、前記第２のビデオストリームは、前記第２のゲームインスタンスのゲームプレーの捕捉されたビデオを含む、ことと、
前記メディア管理サーバが、前記第１のビデオストリームからの第１のハイライトビデオセグメントおよび前記第２のビデオストリームからの第２のハイライトビデオセグメントを識別することと、
前記メディア管理サーバが、コメンテータクライアントのために提案されるブロードキャストを組み立てることであって、前記提案されるブロードキャストは、少なくとも前記第１のハイライトビデオセグメントおよび前記第２のハイライトビデオセグメントを含む、ことと、
前記メディア管理サーバが、前記提案されるブロードキャストを前記コメンテータクライアントに伝送することと、
前記コメンテータクライアントにおけるインターフェースによって、キービデオセグメントを選択することであって、前記キービデオセグメントは、前記提案されるブロードキャストの少なくとも一部を含む、ことと、
前記メディア管理サーバが、前記キービデオセグメントを視聴クライアントにストリーミングすることと
を含む、方法。
【請求項２】
前記命令は、前記第１のクライアントおよび前記第２のクライアントによって受信されると、ゲームプレーを開始させる、請求項１に記載の方法。
【請求項３】
前記第１のクライアントおよび前記第２のクライアントの各々は、前記命令を受信するピアトーナメントモジュールを含み、前記命令を受信することに応答して、ゲーム開始コールバックを実行することによって、ゲームプレーを開始させる、請求項２に記載の方法。
【請求項４】
前記第１のクライアントおよび前記第２のクライアントの各々は、前記命令を受信するピアトーナメントモジュールを含み、前記命令を受信することに応答して、第２の命令を前記ゲームサーバに伝送し、前記ゲームサーバからのゲームデータの通信の開始を引き起こす、請求項２に記載の方法。
【請求項５】
前記命令は、ゲーム開始のための時間を規定する、請求項１に記載の方法。
【請求項６】
前記第１のクライアントおよび前記第２のクライアントの各々は、前記命令を受信するピアツーピアモジュールを含み、ゲーム開始コールバックを実行することによって、前記規定された時間に、前記ゲームを開始させる、請求項５に記載の方法。
【請求項７】
前記第１のクライアントおよび前記第２のクライアントの各々は、前記命令を受信するピアツーピアモジュールを含み、前記開始するための規定された時間に、第２の命令を前記ゲームサーバに伝送し、前記ゲームサーバからのゲームデータの通信の開始を引き起こす、請求項５に記載の方法。
【請求項８】
前記トーナメントサーバが、前記第１のクライアントおよび前記第２のクライアントに、試合識別子、プレーヤ識別子、およびゲームパラメータを伝送することであって、前記試合識別子は、前記トーナメントに一意の識別子を規定し、前記プレーヤ識別子は、前記トーナメントへのユーザのエントリのための一意の識別子であり、前記ゲームパラメータは、前記第１のゲームインスタンスおよび前記第２のゲームインスタンスの各々を実行するように構成するためのデータを含む、こと
をさらに含む、請求項１に記載の方法。
【請求項９】
前記メディア管理サーバが、前記視聴クライアントによる横並びの視聴のための前記第１のゲームインスタンスおよび前記第２のゲームインスタンスのゲームプレーの同時ビデオストリーミングを提供することを含む、請求項１に記載の方法。
【請求項１０】
システムであって、
少なくとも１つのデータプロセッサと、
前記少なくとも１つのデータプロセッサによって実行されると、前記少なくとも１つのデータプロセッサに、請求項１〜９のいずれかに記載の方法を実施させる命令を記憶するメモリと
を備える、システム。
【請求項１１】
少なくとも１つのコンピューティングシステムの少なくとも１つのデータプロセッサによって実行されると、請求項１〜９のいずれかに記載の方法を実施する、命令を記憶する媒体に記憶された非一過性コンピュータプログラム。
【手続補正書】
【提出日】令和3年9月30日(2021.9.30)
【手続補正１】
【補正対象書類名】明細書
【補正対象項目名】発明の名称
【補正方法】変更
【補正の内容】
【発明の名称】発光素子、発光装置、電子機器、及び照明装置
【手続補正２】
【補正対象書類名】特許請求の範囲
【補正対象項目名】全文
【補正方法】変更
【補正の内容】
【特許請求の範囲】
【請求項１】
陽極と陰極との間に発光層を有し、
前記発光層は、第１の有機化合物と、第２の有機化合物と、三重項励起エネルギーを発光に変える発光物質と、を含み、
前記第１の有機化合物と前記第２の有機化合物は、励起錯体を形成する組み合わせであり、
前記第１の有機化合物は、６員環で構成される含窒素複素芳香環およびカルバゾール骨格を含み、
前記６員環で構成される含窒素複素芳香環は、ピラジン、ピリダジン、トリアジン、テトラジンのいずれかであり、
前記第１の有機化合物のＨＯＭＯ準位は、前記第２の有機化合物のＨＯＭＯ準位よりも低く、
前記第１の有機化合物のＨＯＭＯ準位と、前記第２の有機化合物のＨＯＭＯ準位との差が、０．４ｅＶ以下である、発光素子。
【請求項２】
陽極と陰極との間に発光層を有し、
前記発光層は、第１の有機化合物と、第２の有機化合物と、三重項励起エネルギーを発光に変える発光物質と、を含み、
前記第１の有機化合物と前記第２の有機化合物は、励起錯体を形成する組み合わせであり、
前記第１の有機化合物は、６員環で構成される含窒素複素芳香環およびカルバゾール骨格を含み、
前記６員環で構成される含窒素複素芳香環は、ピラジン、ピリダジン、トリアジン、テトラジンのいずれかであり、
前記第１の有機化合物のＨＯＭＯ準位は、前記第２の有機化合物のＨＯＭＯ準位よりも低く、
前記第１の有機化合物のＨＯＭＯ準位と、前記第２の有機化合物のＨＯＭＯ準位との差が、０．３ｅＶ以下である、発光素子。
【請求項３】
陽極と陰極との間に発光層を有し、
前記発光層は、第１の有機化合物と、第２の有機化合物と、三重項励起エネルギーを発光に変える発光物質と、を含み、
前記第１の有機化合物と前記第２の有機化合物は、励起錯体を形成する組み合わせであり、
前記第１の有機化合物は、６員環で構成される含窒素複素芳香環およびカルバゾール骨格を含み、
前記第１の有機化合物のＨＯＭＯ準位は、前記第２の有機化合物のＨＯＭＯ準位よりも低く、
前記第１の有機化合物のＨＯＭＯ準位と、前記第２の有機化合物のＨＯＭＯ準位との差が、０．４ｅＶ以下であり、
前記６員環で構成される含窒素複素芳香環に、ベンゼン環が縮合している、発光素子。
【請求項４】
陽極と陰極との間に発光層を有し、
前記発光層は、第１の有機化合物と、第２の有機化合物と、三重項励起エネルギーを発光に変える発光物質と、を含み、
前記第１の有機化合物と前記第２の有機化合物は、励起錯体を形成する組み合わせであり、
前記第１の有機化合物は、６員環で構成される含窒素複素芳香環およびカルバゾール骨格を含み、
前記第１の有機化合物のＨＯＭＯ準位は、前記第２の有機化合物のＨＯＭＯ準位よりも低く、
前記第１の有機化合物のＨＯＭＯ準位と、前記第２の有機化合物のＨＯＭＯ準位との差が、０．３ｅＶ以下であり、
前記６員環で構成される含窒素複素芳香環に、ベンゼン環が縮合している、発光素子。
【請求項５】
請求項３または請求項４において、
前記６員環で構成される含窒素複素芳香環は、ピリジン、ピラジン、ピリミジン、ピリダジン、トリアジン、テトラジンのいずれかである、発光素子。
【請求項６】
請求項３または請求項４において、
前記ベンゼン環が縮合している６員環で構成される含窒素複素芳香環は、キノリン、イソキノリン、ジベンゾ［ｆ，ｈ］キノリン、ナフチリジン、ジベンゾ［ｆ，ｈ］キノキサリン、ジベンゾ［ｆ，ｈ］キナゾリンのいずれかである、発光素子。
【請求項７】
請求項１乃至請求項６のいずれか一項に記載の発光素子を有する、発光装置。
【請求項８】
請求項１乃至請求項６のいずれか一項に記載の発光素子、または、請求項７に記載の発光装置と、
接続端子、または、操作キーと、を有する電子機器。
【請求項９】
請求項７に記載の発光装置と、筐体と、を有する照明装置。